(57)【要約】【課題】駆動モータを高速回転で使用しても振動が増すことなく、駆動モータ取付部の取付高さが十分にとれ、部品点数の削減ができ、コストダウンが図れる空気調和機の室外ユニットを提供する。【解決手段】ユニット本体内に配置された送風機に駆動モータを外方に突出するモータ取付部により支持する送風機支持体を具備した空気調和機の室外ユニットにおいて、駆動モータは等角度を有して円周上に４個の取付脚部が設けられ、かつ、モータ取付部は前記取付脚部を各々支持し、垂直線に対して所定角度回転した位置に４個設けられ、駆動モータは所定角度回転した状態で取付けられる。【選択図】  図１
2004156887.tif 000002
【特許請求の範囲】
【請求項１】
少なくとも、底板と前面パネルおよび後板との組み合わせからなるユニット本体と、このユニット本体内に配置され、駆動モータとファンから構成される送風機と、この送風機を外方に突出するモータ取付部により支持する送風機支持体とを具備した空気調和機の室外ユニットにおいて、前記駆動モータは等角度を有して円周上に４個の取付脚部が設けられ、かつ、前記モータ取付部は前記取付脚部を各々支持し、垂直線に対して所定角度回転した位置に４個設けられ、前記駆動モータは所定角度回転した状態で取付けられることを特徴とする空気調和機の室外ユニット。
【請求項２】
請求項１に記載の空気調和機の室外ユニットにおいて、上記モータ取付部は、その取付面に駆動モータ脱落防止用の一対の爪部を有することを特徴とする空気調和機の室外ユニット。
【請求項３】
請求項１または２に記載の空気調和機の室外ユニットにおいて、上記モータ取付部の取付面は、その内側に対向する側の先端縁が斜めカットされることを特徴とする空気調和機の室外ユニット。
【発明の詳細な説明】
【０００１】
【発明の属する技術分野】
本発明は空気調和機の室外ユニットに係わり、特に駆動モータが取付けられる送風機支持体の取付構造を改良した空気調和機の室外ユニットに関する。
【０００２】
【従来の技術】
従来、空気調和機の室外ユニットの筐体をなすユニット本体は、少なくとも底板と前パネル後板との組み合わせで構成されている。このユニット本体の内部には、熱交換器、送風機、圧縮機、冷媒配管及び電気部品などが収容配置される。熱交換器及び圧縮機は底板上に直接配置固定されるが、上記送風機は駆動モータとファンから構成されるため、底板上に直接取付け固定することはできない。すなわち、底板上に送風機支持体が立設固定され、この支持体に直接、あるいは送風機支持体に別個のサブ固定板を取付けて駆動モータが取付けられている。ファンはパネルベルマウス部に対し適正な配置となるよう、駆動モータは送風機支持体の前後方向で決まった位置（高さ）を持って、また、上下方向はほぼ中央に取付けられ、熱交換器に対する均一かつ効率的な送風を行うようになっている。そして、上記送風機支持体は下端部を底板に取付け、上端部を後板上端部に係合して固定される。あるいは、送風機支持体の上端部は前パネルに固定される（例えば、特許文献１参照）。
【０００３】
しかしながら、近年の空気調和機の省エネルギ化、低温性能の向上等を図るためには、送風機の高効率化が不可欠であり、駆動モータも高回転化の使用が要求されている。送風機支持体は、金属板をプレス加工などによって折り曲げ形成し、剛性を得るようフレーム構造が採用されているが、送風機支持体に一体に形成される駆動モータ取付部は、限られた材料展開形状の中で形成する必要があるため、従来の送風機支持体では駆動モータ取付部の高さは確保しているが、図５に示すように、フレーム部１２に多段曲部１３を設けた送風機支持体１１か、図６に示し、特許文献１の図１に示されるように、フレーム部２２はストレート形状で剛性は高いが、幅の狭い長方形状の金属板を用いて一体に駆動モータ取付部２３を形成するため、この駆動モータ取付部２３の取付高さｈ０が確保されていない送風機支持体２１の２種類の送風機支持体しかなかった。
【０００４】
図５に示す前者の送風機支持体１１は、駆動モータを高速回転で使用するとフレーム部１２の強度が弱いため、回転による振動が増加し、使用が困難になる問題があった。また、図６に示す後者の送風捜支持体２１は、駆動モータを高速回転で使用しても、フレーム部２２の強度が強いため振動が増すことはないが、駆動モータの取付高さｈ０を確保するために別ピースのサブ固定板２３をネジ２４で固定するためコストアップし、採用が困難になる問題があった。
【０００５】
【特許文献１】
特開平８−１２８６６５号公報（段落番号［０００９］、［００１０］、図１）
【０００６】
【発明が解決しようとする課題】
そこで、駆動モータを高速回転で使用しても振動が増すことなく、駆動モータ取付部の取付高さが十分にとれ、部品点数の削減ができ、コストダウンが図れる空気調和機の室外ユニットが要望されていた。
【０００７】
本発明は上述した事情を考慮してなされたもので、駆動モータを高速回転で使用しても振動が増すことなく、駆動モータ取付部の取付高さが十分にとれ、部品点数の削減ができ、コストダウンが図れる空気調和機の室外ユニットを提供することを目的とする。
【０００８】
【課題を解決するための手段】
上記目的を達成するため、本発明の１つの態様によれば、少なくとも、底板と前面パネルおよび後板との組み合わせからなるユニット本体と、このユニット本体内に配置され、駆動モータとファンから構成される送風機と、この送風機を外方に突出するモータ取付部により支持する送風機支持体とを具備した空気調和機の室外ユニットにおいて、前記駆動モータは等角度を有して円周上に４個の取付脚部が設けられ、かつ、前記モータ取付部は前記取付脚部を各々支持し、垂直線に対して所定角度回転した位置に４個設けられ、前記駆動モータは所定角度回転した状態で取付けられることを特徴とする空気調和機の室外ユニットが提供される。これにより、駆動モータを高速回転で使用しても振動が増すことなく、駆動モータ取付部の取付高さが十分にとれ、部品点数の削減ができ、コストダウンが図れる空気調和機の室外ユニットが実現される。
【０００９】
好適な一例では、上記モータ取付部は、その取付面に駆動モータ脱落防止用の一対の爪部を有する。これにより、取付脚部と爪部を係合させるので、組立ラインでのネジ固定前に駆動モータが脱落するのを防止でき、モータ不良の発生の抑制が実現される。
【００１０】
また、他の好適な一例では、上記モータ取付部の取付面は、その内側に対向する側の先端縁が斜めカットされる。これにより、取付け作業時に取付脚部を爪部間に容易に挿入できる。
【００１１】
【発明の実施の形態】
以下、本発明に係わる空気調和機の室外ユニットの実施形態について添付図面を参照して説明する。
【００１２】
図１は本発明に係わる空気調和機の室外ユニットの分解図である。
【００１３】
図１に示すように、本発明に係わる空気調和機の室外ユニット１は、底板２と前面パネル３及び後板４との組み合わせからなるユニット本体５と、このユニット本体５内に配置され、駆動モータ６とファン７から構成される送風機８と、この送風機８を支持する送風機支持体９とを有している。
【００１４】
図２及び図３に示すように、駆動モータ６には、４個の取付脚部６ａが９０°の等角度で円周上に配置されるように設けられており、取付脚部６ａには取付用脚部孔６ｂが設けられ、さらに、取付脚部６ａ間の中央には、電源線口出部６ｃが設けられている。
【００１５】
また、図２及び図３に示すように、送風機支持体９には、大きな３個の透孔９ａ、９ｂが設けられ、中央の透孔９ａには、駆動モータ６を取付けるための４個の外方に突出するモータ取付部９ｃが、９０°の等角度を有して配置されるように設けられている。さらに、このモータ取付部９ｃは、各々垂直線Ｌｖに対して、所定角度、例えば２０°回転した位置に設けられている。
【００１６】
さらに、図３に示すように、モータ取付部９ｃの取付面９ｃ１には、取付用ネジ孔９ｃ２及び駆動モータ脱落防止用の一対の爪部９ｃ３が設けられており、さらに、その内側に対向する側の先端縁９ｃ４が斜めカットされている。一対の爪部９ｃ３を形成することにより、駆動モータ６を取付ける作業時に駆動モータ６の脱落が防止され、先端縁９ｃ４が斜めカットされることにより、取付け作業時に取付脚部６ａを爪部９ｃ３間に容易に挿入できる。
【００１７】
また、駆動モータ６は、取付用脚部孔６ｂを貫通し取付用ネジ孔９ｃ２に螺合するネジ（図示せず）によって、モータ取付部９ｃを介して送風機支持体９に取付けられている。従って、駆動モータ６の取付脚部６ａも垂直線に対して所定角度回転して取付けられている。
【００１８】
次に送風機支持体の製造方法について説明する。
【００１９】
図４に示すように、長方形状の鉄板を用意し、プレスにより、打抜成形工程を行う。この打抜成形工程により、大きな３個の透孔９ａ、９ｂが打抜かれ、さらに、鉄板の長手方向の中心線（垂直線）Ｌｖとこれに直交する水平線Ｌｈとの交点Ｐに対して点対称に、図４中点線で示す４個のモータ取付部９ｃが形成され、この４個のモータ取付部９ｃは、９０°の等角度を有して配置され、各々垂直線Ｌｖに対して、所定角度、例えば２０°回転した位置に設けられる。このように、９０°の等角度を有し、所定角度回転した位置に４個のモータ取付部９ｃを形成し、立上げることにより、図３に示す取付高さ（モータ取付部９ｃの長さ）ｈを高くすることが可能となる。また、成形工程により、モータ取付部９ｃに一体に取付面９ｃ１を形成することができ、さらに、この取付面９ｃ１に取付用ネジ孔９ｃ２、爪部９ｃ３を形成でき、先端縁９ｃ４の斜めカットも行うことができる。これにより、製造工程の簡素化、部品点数の削減ができ、コストダウンが図れる。
【００２０】
また、送風機支持体に送風機を取付ける方法について説明する。
【００２１】
図３に示すように、９０°の等角度を有し、垂直線Ｌｖに対して２０°回転した位置に４個のモータ取付部９ｃが設けられたモータ取付部９ｃを用意し、等角度を有して円周上に４個の取付脚部６ａが設けられた駆動モータ６を対向させ、さらに、取付脚部６ａが取付面９ｃ１に対向するように駆動モータ６を２０°回転させる。取付脚部６ａを取付面９ｃ１に当接させて、取付脚部６ａと爪部９ｃ３を係合させ、取付用脚部孔６ｂを貫通し取付用ネジ孔９ｃ２に螺合するネジ（図示せず）によって、駆動モータ６を送風機支持体９に取付ける。さらに、ファン７に駆動モータ６を取付けて送風機８の送風機支持体９への取付けは完了する。この送風機の取付工程において、取付脚部６ａと爪部９ｃ３を係合させるので、組立ラインでのネジ固定前に駆動モータ６が脱落するのを防止でき、モータ不良の発生を抑制することができ、さらに、先端縁９ｃ４は斜めカットがなされているので、取付け作業時に取付脚部６ａを爪部９ｃ３間に容易に挿入できる。また、駆動モータ６は、９０°の等角度を有して４個設けられたモータ取付部９ｃによって、強固に取付けられているので、駆動モータ６を高速回転で使用しても振動が増すことがない。
【００２２】
【発明の効果】
本発明に係わる空気調和機の室外ユニットによれば、駆動モータを高速回転で使用しても振動が増すことなく、駆動モータ取付部の取付高さが十分にとれ、部品点数の削減ができ、コストダウンが図れる空気調和機の室外ユニットを提供することができる。
【図面の簡単な説明】
【図１】本発明に係わる空気調和機の室外ユニットの分解図。
【図２】本発明に係わる空気調和機の室外ユニットに用いられる送風機の取付け状態を示す平面図。
【図３】本発明に係わる空気調和機の室外ユニットに用いられる送風機の取付け状態を示す分解図。
【図４】本発明に係わる空気調和機の室外ユニットに用いられる送風機支持体の製造状態を示す平面図。
【図５】従来の送風機支持体の斜視図。
【図６】従来の送風機支持体の斜視図。
【符号の説明】
１  空気調和機の室外ユニット
２  底板
３  前面パネル
４  後板
５  ユニット本体
６  駆動モータ
６ａ  取付脚部
６ｂ  取付用脚部孔
６ｃ  電源線口出部
７  ファン
８  送風機
９  送風機支持体
９ａ、９ｂ  透孔
９ｃ  モータ取付部
９ｃ１  取付面
９ｃ２  取付用ネジ孔
９ｃ３  爪部
９ｃ４  先端縁
【図１】
2004156887.tif 000003
【図２】
2004156887.tif 000004
【図３】
2004156887.tif 000005
【図４】
2004156887.tif 000006
【図５】
2004156887.tif 000007
【図６】
2004156887.tif 000008